(57)【要約】【課題】掃除を中断する際に安定した状態で延長パイプを立て掛けることができる、使い勝手のよい電気掃除機を提供すること。【解決手段】電気掃除機本体１、ホース部４、延長パイプ７及び床ブラシ９を備え、ホース部４が手元部５と蛇腹ホース６からなる電気掃除機であって、延長パイプ７の手元部５の近傍及びホース部４の手元部５近傍の両者又はいずれか一方に滑り止め部１０，１３を設けた。そして、延長パイプ７に設けた滑り止め部１０は延長パイプ７の外径よりも拡径させ、また、手元部５と蛇腹ホース６の接続位置に設けた滑り止め部１３は、接続部を延長パイプ７の軸方向に対して床面とほぼ並行になるように屈曲させる。【選択図】        図１
2004215872.tif 000002
【特許請求の範囲】
【請求項１】
電気掃除機本体、ホース部、延長パイプ及び床ブラシを備え、該ホース部が手元部と蛇腹ホースからなる電気掃除機において、
前記ホース部の手元部近傍に滑り止め部を設けたことを特徴とする電気掃除機。
【請求項２】
滑り止め部を延長パイプ側に設けたことを特徴とする請求項１記載の電気掃除機。
【請求項３】
延長パイプ側に設けた滑り止め部はパイプの外径よりも拡径させたことを特徴とする請求項２記載の電気掃除機。
【請求項４】
滑り止め部を手元部と蛇腹ホースの接続位置に設けたことを特徴とする請求項１記載の電気掃除機。
【請求項５】
接続部は延長パイプの軸方向に対して床面とほぼ平行になるように屈曲させたことを特徴とする請求項４記載の電気掃除機。
【請求項６】
滑り止め部の表面に複数の凹凸を設けたことを特徴とする請求項１乃至５のいずれかに記載の電気掃除機。
【発明の詳細な説明】
【０００１】
【発明の属する技術分野】
本発明は、電気掃除機に係り、より詳しくは、使い勝手が向上して、掃除中断時に延長パイプをテーブル等に安全に立て掛けることができる等の構造を備えた電気掃除機に関するものである。
【０００２】
【従来の技術】
従来の電気掃除機は、電気掃除機本体、床ブラシ、延長パイプ、ホース部などによって構成されており、ホース部の手元部を持ちながら床ブラシを前後に動作させて床面上の塵埃を吸塵していた。床面上の塵埃は、電気掃除機本体内のモータによって発生した吸込み気流により、床ブラシ、延長パイプ、ホース部を通り、電気掃除機本体の集塵袋内に蓄積される。
【０００３】
ホース部の手元部に位置する接続部には硬質のプラスチック等で形成されたホースカバーが設けられており、接続部での屈曲によるホースの破れを防止し、また、延長パイプに設けたスタンドホルダーによって、延長パイプを電気掃除機本体に立て掛けるようになっている（例えば、特許文献１参照）。
【０００４】
また、ホース部の屈曲防止性を高めるために、ホースカバーに複数のスリットを設けて柔軟性を増したり、ホースカバーを硬度７０程度の軟質塩化ビニルで構成したものもある（例えば、特許文献２参照）。
【０００５】
上記のような電気掃除機によれば、実際に部屋の中を掃除する状況では、床面上にさまざまな物が置かれているのが普通であり、塵埃を吸引するにあたっては掃除を一時中断し、床面上に置かれた物を移動させてから塵埃を吸引する場合が多い。
【０００６】
具体的には、電気掃除機本体の手元部を一時的に床面上に置いたり、延長パイプをテーブルなどに立て掛けたりして、空いた手を用いて物を移動させたりしていた。
【０００７】
【特許文献１】
特許第３２０１６４４号公報（第２〜３頁、図２）
【特許文献２】
特開２０００−６０７８０号公報（第２〜５頁、図１）
【０００８】
【発明が解決しようとする課題】
上記のように掃除中に物を移動させた後に掃除を再開させるときには、かがみ込んで再びホース部の手元部を持ち上げなければならず、このときに腰を痛める場合があった。また、延長パイプやホース部等が横に寝た状態になるので非常に場所をとり、これにつまづいたり、踏んづけたりすることもあった。
【０００９】
また、延長パイプをテーブルなどに立て掛けた場合は、保持が不安定であるため延長パイプが倒れて家具を傷つけたり、人に当たって怪我をすることもあった。また、ホースカバーに使用されている軟質塩化ビニルは、直接手元ケースに挟まれて固定されているため硬度が高く、摩擦力が小さくて、十分な保持力を得ることができなかった。
【００１０】
さらに、延長パイプをスタンドホルダーによって電気掃除機本体に立て掛ける場合には、その都度、電気掃除機本体の位置まで戻りスタンドホルダーを差し込まなければならならないため、動作が面倒であり、さらに、スタンドホルダーの固定位置が下側であるため安定が悪く、延長パイプが倒れて家具を傷付けたり、人に当たって怪我をすることもあった。
【００１１】
本発明は上記のような課題を解決するためになされたもので、掃除を中断する際に安定した状態で延長パイプを立て掛けることができる使い勝手の良い電気掃除機を提供するものである。
【００１２】
【課題を解決するための手段】
本発明は、電気掃除機本体、ホース部、延長パイプ及び床ブラシを備え、ホース部が手元部と蛇腹ホースからなる電気掃除機であって、ホース部の手元部近傍に滑り止め部を設けたものである。
【００１３】
【発明の実施の形態】
［実施形態１］
図１は本発明の実施の形態１を示す全体斜視図、図２は図１の第１の滑り止め部が設けられた延長パイプの部分断面図、図３は図１の第２の滑り止め部が設けられたホース部の部分断面図である。図１において、電気掃除機本体１の差込口２にはホース部４の一端が接続されており、ホース部４の他端には手元部５が設けられ、手元部５の先端には延長パイプ７が接続されて、さらにその先には床ブラシ９が接続されている。
延長パイプ７の外周で手元部５の近傍には、延長パイプ７の滑りを防止する第１の滑り止め部１０が取付けられている。
【００１４】
延長パイプ７に取り付られた第１の滑り止め部１０は、図２に詳述するように、滑り止め部材１１と、その内側に位置して滑り止め部材１１を延長パイプ７に保持する部材ホルダー１２から構成されており、滑り止め部材１１は部材ホルダー１２に二重成形で固定され、部材ホルダー１２は延長パイプ７にネジによって締め付け固定されている。そして、滑り止め部材１１の外周面は、延長パイプ７の外周面よりも拡径して突出した状態で固定されている。
【００１５】
滑り止め部材１１の材質は、例えば硬度４０度〜５０度近辺の軟質塩化ビニルや、ＰＰエラストマーや、シリコンゴムのような柔らかく摩擦抵抗の大きい材料で形成されており、摩擦力を増やすために表面には複数の凹凸形状が設けられている。
【００１６】
図１において、ホース部４の手元部５と蛇腹ホース６の間にはホースの破れを防止するとともに手元部５の滑りを防止する第２の滑り止め部１３が設けられている。この第２の滑り止め部１３の接続部は延長パイプ７の軸方向に対して床面とほぼ水平方向になるように屈曲した形状で取付られており、蛇腹ホース６の蛇腹部に屈曲力が加わりにくくなっている。
【００１７】
第２の滑り止め部１３は、図３に詳述するように、硬質のカバー固定部１４と、これと二重成形されて軟質のプロテクターとしても機能するホースカバー１５から構成されており、ホースカバー１５が蛇腹ホース６側に単独ではみ出した形状で取付けられている。ホースカバー１５の材質は、第１の滑り止め部１０の滑り止め部材１１と同様に、摩擦抵抗の大きい材質により構成されている。
【００１８】
次に、上記のように構成した電気掃除機の作用について説明する。ホース部４の手元部５を持って電気掃除機を運転すると、モータ（図示せず）によって発生した吸込み気流によって、床面上の塵埃は、床ブラシ９、延長パイプ７、ホース部４を通って、電気掃除機本体１内の集塵部（図示せず）に吸い込まれる。
【００１９】
床面１６上に物が置いてある場合には掃除を一時中断し、図４に示すように、延長パイプ７の表面に設けられた第１の滑り止め部１０の滑り止め部材１１を、テーブル１７の側面１７ａなどに当接するようにして立て掛ける。滑り止め部材１１は摩擦抵抗の大きい材料で構成されているので、テーブル１７の側面１７ａでグリップされて安定よく立て掛けられ、また、滑り止め部材１１は軟質材で構成されているので、テーブル１７の表面を傷付けることがない。
【００２０】
また、掃除中に手元部５を持って床ブラシ９を前後に動作させるときは、より力が入るようにするために、他方の手を延長パイプ７の第１の滑り止め部１０の滑り止め部材１１に添えて両手で動作させる場合があるが、滑り止め部材１１は軟質材で構成されているため握りやすく、グリップ力もあるため誤って手を滑らすことがない。
【００２１】
さらに、手元部５と延長パイプ７の接続を外し、手元部５の先端でテーブル１７の上面１７ｂなどを掃除する場合には、外した延長パイプ７を床面１６上に落としたとしても、滑り止め部材１１の外周が延長パイプ７の外周面より突出しているため、延長パイプ７に直接衝撃が加わることがなく、延長パイプ７の破損を防止できるとともに、床面１６上に傷を付けることもない。
【００２２】
また、同様に、図５に示すように、第２の滑り止め部１３のホースカバー１５をテーブル１７等の上面１７ｂに置くようにして立て掛けた場合、第２の滑り止め部１３のホースカバー１５は床面１６とほぼ水平方向に屈曲されて取付けられているため、テーブル１７の上面１７ｂ方向で接触面積が大きくとれ、より安定したグリップ力を得ることができる。
【００２３】
さらに、手元部５と蛇腹ホース６の接続部には手元部５を前後に動作させることによって屈曲力が働くが、プロテクターとしても機能するホースカバー１５が接続部を保護しているために接続部の屈曲力が緩和され、蛇腹ホース６の破れ等を防止することができる。
【００２４】
電気掃除機を収納するときは、図６に示すように、電気掃除機本体１のホルダー受け３に延長パイプ７のスタンドホルダー８を差し込んだ状態にして立て掛けるが、ホース部４の蛇腹ホース６がふらつかないように延長パイプ７に巻き付けられている。このとき、蛇腹ホース６の一部は延長パイプ７設けた第１の滑り止め部１０の滑り止め部材１１と接触しているため蛇腹ホース６が不用意に動かず、安定した収納を保持することができる。
【００２５】
［実施形態２］
図７は本発明の実施の形態２に係る電気掃除機の第１の滑り止め部の断面図で、滑り止め部材１１を、例えばボタン式のロック機構によって所望の位置に切り替えることができるようにしたものである。すなわち、ばね等によって付勢されたボタン１８の一端を、延長パイプ７の軸方向に滑動可能に取り付けた滑り止め部材１１の一端に当接させ、このボタン１８の他端にＬ字状に屈曲したフック１９を設け、このフック１９が延長パイプ７表面の軸方向に複数設けた溝２０に選択的に嵌合できるようにして、滑り止め部材１１を延長パイプ７の軸方向の所望位置に保持するようにしたものである。
【００２６】
このように、第１の滑り止め部１０の滑り止め部材１１の位置を切り替え可能に構成したので、使用者の背丈等に応じて滑り止め部材１１を握りやすい位置に変えたり、テーブル等の高さに応じて調整することができる。
【００２７】
［実施形態３］
図８は本発明の実施の形態３に係る電気掃除機の第１の滑り止め部の作用説明図で、延長パイプ７に設けた滑り止め部材１１の上方（ホース部４側）に滑り止め部材１１よりも拡径された凸部２１を設けたものある。
延長パイプ７に取り付けた第１の滑り止め部１０をテーブル１７等の側面１７ａでグリップするとき、滑り止め部材１１の上方に設けた凸部２１によって、テーブル１７の側面１７ａでのグリップ力を増すことができる。
また、延長パイプ７が落下したような場合であっても、滑り止め部１０の凸部２１によって落下時の衝撃を弱めることができる。
【００２８】
【発明の効果】
本発明に係る電気掃除機によれば、使い勝手が良いうえ、掃除途中において延長パイプ等の立て掛けが可能であり、安定した滑り止め効果を得ることができる。
【図面の簡単な説明】
【図１】本発明の実施形態１に係る電気掃除機の全体構成を示す斜視図である。
【図２】図１の延長パイプに取付けた第１の滑り止め部の断面図である。
【図３】図１のホース部に取付けた第２の滑り止め部の断面図である。
【図４】図１の作用説明図である。
【図５】図１の作用説明図である。
【図６】図１の作用説明図である。
【図７】本発明の実施の形態２に係る電気掃除機の第１の滑り止め部のロック機構を示す断面図である。
【図８】本発明の実施の形態３に係る電気掃除機の第１の滑り止め部の作用説明図である。
【符号の説明】
１  電気掃除機本体、４  ホース部、５  手元部、６  蛇腹ホース、７  延長パイプ、９  床ブラシ、１０  第１の滑り止め部、１１  滑り止め部材、１３  第２の滑り止め部、１５  ホースカバー。
【図１】
2004215872.tif 000003
【図２】
2004215872.tif 000004
【図３】
2004215872.tif 000005
【図４】
2004215872.tif 000006
【図５】
2004215872.tif 000007
【図６】
2004215872.tif 000008
【図７】
2004215872.tif 000009
【図８】
2004215872.tif 000010